(57)【要約】【課題】スリップ防止性能に優れたゴルフ靴１２の提供。【解決手段】ゴルフ靴のアウトソール１２は、ベース３０、大突起３２、中突起３４及び小突起３６を備えている。大突起３２はベース３０から下方に向かって突出している。中突起３４も、ベース３０から下方に向かって突出している。中突起３４の高さＨ２は、大突起３２の高さＨ１よりも小さい。大突起３２の突出及び中突起３４の突出により、大突起３２と中突起３４との間に溝３８が形成されている。小突起３６は、中突起３４の底面から下方に向かって突出している。小突起３６の高さＨ３は、大突起３２の高さＨ１及び中突起３４の高さＨ２に比べて小さい。大突起３２の高さＨ１は、４．０ｍｍ以上１０．０ｍｍ以下である。大突起３２の高さＨ１に対する中突起３４の高さＨ２の比（Ｈ２／Ｈ１）は、０．１以上０．５以下である。【選択図】図５
2010115338.tif 000002
【特許請求の範囲】
【請求項１】
アウトソールを備えており、
このアウトソールが、ベース、このベースから下方に向かって突出する大突起、このベースから下方に向かって突出する中突起及びこの中突起から下方に向かって突出する小突起を有しており、
この中突起が溝を隔てて大突起と隣接しており、
中突起の高さが大突起の高さよりも小さいゴルフ靴。
【請求項２】
上記大突起の高さが４．０ｍｍ以上１０．０ｍｍ以下である請求項１に記載のゴルフ靴。
【請求項３】
上記大突起の高さＨ１に対する中突起の高さＨ２の比（Ｈ２／Ｈ１）が０．１以上０．５以下である請求項１又は２に記載のゴルフ靴。
【請求項４】
上記中突起の高さＨ２に対する小突起の高さＨ３の比（Ｈ３／Ｈ２）が０．１以上０．５以下である請求項１から３のいずれかに記載のゴルフ靴。
【請求項５】
上記中突起の底面の面積が０．２ｃｍ２以上１．５ｃｍ２以下である請求項１から４のいずれかに記載のゴルフ靴。
【請求項６】
上記溝の幅が０．５ｍｍ以上３．０ｍｍ以下である請求項１から５のいずれかに記載のゴルフ靴。
【請求項７】
上記中突起の数が５以上５０以下である請求項１から６のいずれかに記載のゴルフ靴。
【発明の詳細な説明】
【技術分野】
【０００１】
本発明は、ゴルフ靴に関する。詳細には、本発明は、ゴルフ靴のアウトソールの改良に関する。
【背景技術】
【０００２】
ゴルフのスイングは、アドレス、テイクバック、トップ、ダウンスイング、インパクト、フォロースルー及びフィニッシュの順に進行する。アドレスでは、ゴルフクラブのヘッドはゴルフボールの近くに位置する。この状態から、ゴルファーはテイクバックを開始する。右利きのゴルファーは、テイクバックにおいてヘッドを右へ、さらに上方へと振り上げる。最もヘッドが振り上げられた位置がトップ位置である。トップ位置からダウンスイングが開始されてヘッドが振り下ろされ、ヘッドがゴルフボールと衝突する（インパクト）。インパクト後、ゴルファーはゴルフクラブを左へ、さらに上方へと振り抜き（フォロースルー）、フィニッシュを迎える。
【０００３】
トップ位置からフィニッシュにかけて、ゴルファーは左足を軸としてボディターンを行う。同時にゴルファーは、右足で地面を蹴ってその力をゴルフボールに伝える。換言すれば、ゴルファーは、左足を軸足として使い、右足を蹴足として使う。左利きゴルファーの場合は、逆に右足を軸足として使い、左足を蹴足として使う。
【０００４】
スイング中、蹴足にてスリップが生じると、力がゴルフボールに十分には伝わらない。スイング中、軸足にスリップが生じると、スイングの回転軸がぶれてミスショットが誘発される。ゴルファーは、ティグラウンド及びフェアウエイでは、芝生の上でショットを行う。ゴルファーは、バンカー内では砂の上でショットを行う。さらにゴルファーは、雑草の上でショットを行うこともある。様々な地面の上において、スリップが抑制される必要がある。
【０００５】
特開２００１−５４４０３公報には、スパイクと突起とを備えたゴルフ靴が開示されている。スパイク及び突起は、ゴムからなる。スパイクの高さと突起の高さとの差は、小さい。このゴルフ靴では、スパイク及び突起の両方が、スリップを抑制する。
【特許文献１】特開２００１−５４４０３公報
【発明の開示】
【発明が解決しようとする課題】
【０００６】
ゴルファーは、グリーンと次のホールのティグラウンドとの間の通路を歩行する。この通路が、アスファルトコンクリートによって舗装されている場合がある。この歩行により、ゴムからなる突起が摩耗する。摩耗が進行すると、スリップ防止性能が阻害される。
【０００７】
本発明の目的は、スリップ防止性能に優れたゴルフ靴の提供にある。
【課題を解決するための手段】
【０００８】
本発明に係るゴルフ靴は、アウトソールを備える。このアウトソールは、ベース、このベースから下方に向かって突出する大突起、このベースから下方に向かって突出する中突起及びこの中突起から下方に向かって突出する小突起を有する。この中突起は、溝を隔てて大突起と隣接している。中突起の高さは、大突起の高さよりも小さい。
【０００９】
好ましくは、大突起の高さは、４．０ｍｍ以上１０．０ｍｍ以下である。好ましくは、大突起の高さＨ１に対する中突起の高さＨ２の比（Ｈ２／Ｈ１）は、０．１以上０．５以下である。好ましくは、中突起の高さＨ２に対する小突起の高さＨ３の比（Ｈ３／Ｈ２）は、０．１以上０．５以下である。
【００１０】
好ましくは、中突起の底面の面積は、０．２ｃｍ２以上１．５ｃｍ２以下である。好ましくは、溝の幅は、０．５ｍｍ以上３．０ｍｍ以下である。好ましくは、中突起の数は５以上５０以下である。
【発明の効果】
【００１１】
本発明に係るゴルフ靴では、軟質な地面では、小突起が接地する。この接地により、スリップが抑制される。このゴルフ靴では、硬質な地面では小突起が接地しない。従って、小突起が摩耗しない。このゴルフ靴では、スリップ防止性能が長期間維持される。
【発明を実施するための最良の形態】
【００１２】
以下、適宜図面が参照されつつ、好ましい実施形態に基づいて本発明が詳細に説明される。
【００１３】
図１は、本発明の一実施形態に係るゴルフ靴２が示された一部切り欠き側面図である。図２は、図１のゴルフ靴２が示された底面図である。この靴２は、右足用である。図１には、靴２のインサイドが示されている。左足用の靴は、この靴２の形状が反転した形状を有する。
【００１４】
このゴルフ靴２は、アッパー４とソール６とを備えている。ソール６は、インソール８、ミッドソール１０、アウトソール１２及び補強プレート１４からなる。
【００１５】
アッパー４は、主部１６、紐１８及びフラップ２０を備えている。主部１６には、既知の材料が用いられる。天然皮革、合成皮革、人工皮革、織布等が、主部１６に用いられうる。主部１６の内面に、内材が貼り付けられてもよい。典型的な内材は、織布である。内材として、透湿防水材料が用いられてもよい。典型的な透湿防水材料は、ゴアテックス（登録商標）からなるブーティである。
【００１６】
インソール８は、ミッドソール１０と積層されている。インソール８は、織布又は発泡合成樹脂からなる。インソール８は、足と接触する。このインソール８は、靴２を履く動作において、足の滑りに寄与する。インソール８はまた、履き心地に寄与する。インソール８が設けられなくてもよい。
【００１７】
ミッドソール１０は、発泡体からなる。典型的には、ミッドソール１０は多数の独立気泡を含む。着地時に、ミッドソール１０は圧縮変形を起こす。この圧縮変形により、衝撃が吸収される。ミッドソール１０における好ましい基材ポリマーは、エチレン−酢酸ビニル共重合体（ＥＶＡ）である。
【００１８】
衝撃吸収性の観点から、ミッドソール１０の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００１９】
アウトソール１２は、ミッドソール１０の下側に位置している。アウトソール１２は、ミッドソール１０と接合されている。接合は、接着剤によって達成されうる。アウトソール１２は、架橋ゴムからなる。好ましい基材ゴムとしては、天然ゴム（ＮＲ）、イソプレンゴム（ＩＲ）、ブタジエンゴム（ＢＲ）、スチレン−ブタジエンゴム（ＳＢＲ）、アクリロニトリル−ブタジエンゴム（ＮＢＲ）及びウレタンゴムが例示される。アウトソール１２に、ゴムと共に合成樹脂又はエラストマーが用いられてもよい。図２に示されるように、アウトソール１２は鋲を備えている。
【００２０】
耐摩耗性の観点から、アウトソール１２の硬度は７０以上が好ましく、７５以上が特に好ましい。足の変形への追従性の観点から、硬度は８５以下が好ましく、８０以下が特に好ましい。硬度は、「ＪＩＳ  Ｋ  ６２５３」の規定に準拠して、タイプＡのデュロメーターにて測定される。
【００２１】
補強プレート１４は、硬質である。補強プレート１４は、ゴルフ靴２のねじれ剛性を高める。この補強プレート１４は、スイングの安定に寄与する。補強プレート１４には、熱可塑性樹脂、熱可塑性エラストマー又はＥＶＡが用いられうる。剛性、成形性及び経済性の観点から、熱可塑性エラストマーが好ましい。熱可塑性エラストマーは、ハードセグメントとソフトセグメントとを有する。スチレンブタジエン系熱可塑性エラストマー（ＴＰＳ）、オレフィン系熱可塑性エラストマー（ＴＰＯ）、ポリエステル系熱可塑性エラストマー（ＴＰＥＥ）及びポリウレタン系熱可塑性エラストマー（ＴＰＵ）が用いられうる。ＴＰＵが好ましい。
【００２２】
安定性の観点から、補強プレート１４の硬度は９０以上が好ましい。スイングの容易の観点から、硬度は９５以下が好ましい。硬度は、「ＪＩＳ  Ｋ  ６２５３」の規定に準拠して、タイプＡのデュロメーターにて測定される。
【００２３】
図２において、Ｘ方向は靴２の幅方向であり、Ｙ方向は靴２の長さ方向である。図２において符号Ｌで示されているのは、長さ線の両端を延長した直線である。この長さ線は、アウトソール１２の底面の輪郭内に画かれうる線分のうちで最長のものである。直線Ｌは、長さ方向Ｙに沿っている。アウトソール１２は、爪先部２２、屈曲部２４、アーチ部２６及び踵部２８を備えている。爪先部２２、屈曲部２４、アーチ部２６及び踵部２８は、長さ方向に沿って並んでいる。
【００２４】
図３は、図２のアウトソール１２のアーチ部２６の一部が示された拡大図である。図４は、図２のアウトソール１２の踵部２８の一部が示された拡大図である。図５は、図２のアウトソール１２の一部が示された拡大断面図である。図３から５に示されるように、このアウトソール１２は、ベース３０、大突起３２、中突起３４及び小突起３６を備えている。
【００２５】
図５に示されるように、大突起３２はベース３０から下方に向かって突出している。中突起３４も、ベース３０から下方に向かって突出している。中突起３４の高さＨ２は、大突起３２の高さＨ１よりも小さい。大突起３２の突出及び中突起３４の突出により、大突起３２と中突起３４との間に溝３８が形成されている。換言すれば、中突起３４は溝３８を隔てて大突起３２と隣接している。小突起３６は、中突起３４の底面から下方に向かって突出している。小突起３６の高さＨ３は、大突起３２の高さＨ１及び中突起３４の高さＨ２に比べて小さい。ベース３０、大突起３２、中突起３４及び小突起３６は、一体的に成形されている。
【００２６】
図６は、図５のアウトソール１２の一部が地面Ｇと共に示された拡大断面図である。この地面Ｇは、軟質である。従って、ゴルファーの体重により大突起３２が地面Ｇに食い込んでいる。この食い込みにより、地面Ｇを構成する土、砂、芝生等が大突起３２同士の間に入り込む。小突起３６は、接地している。この状態でゴルファーが歩行又はスイングを行うと、大突起３２及び小突起３６が、地面Ｇと擦動する。大突起３２及び小突起３６は、ゴルフ靴２のスリップを防止する。
【００２７】
図７は、図５のアウトソール１２の一部が地面Ｇと共に示された拡大断面図である。この地面Ｇは、硬質である。硬質な地面Ｇとしては、アスファルトコンクリートが例示される。地面Ｇが硬質なので、体重を受けても大突起３２は地面Ｇに食い込んでいない。従って、小突起３６は地面Ｇから離間している。接地しているのは、大突起３２のみである。この状態でゴルファーが歩行を行っても、小突起３６は地面Ｇと擦動しない。このゴルフ靴２では、小突起３６の摩耗が抑制される。
【００２８】
図８は、図２のアウトソール１２の一部が示された拡大斜視図である。便宜上図８では、アウトソール１２の底面が上向きに示されている。図８には、ベース３０、中突起３４及び小突起３６が示されている。小突起３６は、筋山である。中突起３４の底面に、多数の筋山が格子状に配置されている。小突起３６の形状は、筋山には限られない。角錐、円錐、角柱、円柱、半球等の形状を有する多数の小突起３６が、中突起３４の底面に散点してもよい。金型へのしぼ加工により、小突起３６が形成されてもよい。金型へのローレット加工により、小突起３６が形成されてもよい。
【００２９】
大突起３２の高さＨ１は、４．０ｍｍ以上１０．０ｍｍ以下が好ましい。高さＨ１が４．０ｍｍ以上である大突起３２は、スリップを抑制する。この観点から、高さＨ１は４．５ｍｍ以上がより好ましい。高さＨ１が１０．０ｍｍ以下である大突起３２は、ゴルファーの体重がかかっても座屈しにくい。この観点から、高さＨ１は８．０ｍｍ以下がより好ましく、６．５ｍｍ以下が特に好ましい。
【００３０】
大突起３２の高さＨ１に対する中突起３４の高さＨ２の比（Ｈ２／Ｈ１）は、０．１以上０．５以下が好ましい。比（Ｈ２／Ｈ１）が０．１以上であるゴルフ靴２では、小突起３６が軟質な地面と接地しやすい。この観点から、比（Ｈ２／Ｈ１）は０．２以上が好ましい。比（Ｈ２／Ｈ１）が０．５以下であるゴルフ靴２では、小突起３６が硬質な地面と接地しにくい。この観点から、比（Ｈ２／Ｈ１）は０．４以上が好ましく、０．３以下が特に好ましい。
【００３１】
図５において矢印Ｌで示されているのは、大突起３２の底面と小突起３６の底面との距離である。硬質な地面で小突起３６が接地しにくいとの観点から、距離Ｌは１．０ｍｍ以上が好ましく、２．０ｍｍ以上が特に好ましい。軟質な地面で小突起３６が接地しやすいとの観点から、距離Ｌは８．０ｍｍ以下が好ましく、６．０ｍｍ以下が特に好ましい。
【００３２】
中突起３４の高さＨ２に対する小突起３６の高さＨ３の比（Ｈ３／Ｈ２）は、０．１以上０．５以下が好ましい。比（Ｈ３／Ｈ２）が０．１以上であるゴルフ靴２では、軟質な地面においてスリップが抑制される。この観点から、比（Ｈ３／Ｈ２）は０．２以上が特に好ましい。比（Ｈ３／Ｈ２）が０．５以下であるゴルフ靴２では、小突起３６にゴルファーの体重がかかってもこの小突起３６が座屈しにくい。この観点から、比（Ｈ３／Ｈ２）は０．４以下が特に好ましい。
【００３３】
小突起３６の高さＨ３は、０．１ｍｍ以上が好ましい。高さＨ３が０．１ｍｍ以上である小突起３６は、軟質な地面においてゴルフ靴のスリップを抑制する。この観点から、高さＨ３は０．２ｍｍ以上がより好ましく、０．３ｍｍ以上が特に好ましい。高さＨ３は、１．０ｍｍ以下が好ましい。高さＨ３が１．０ｍｍ以下である小突起３６は、ゴルファーの体重がかかっても座屈しにくい。この観点から、高さＨ３は０．７ｍｍ以下がより好ましく、０．５ｍｍ以下が特に好ましい。
【００３４】
それぞれの中突起３４の底面の面積は、０．２ｃｍ２以上１．５ｃｍ２以下が好ましい。この面積が０．２ｃｍ２以上であるゴルフ靴２では、軟質な地面において小突起３６が接地しやすい。この観点から、面積は０．４ｃｍ２以上がより好ましく、０．５ｃｍ２以上が特に好ましい。この面積が１．５ｃｍ２以下である中突起３４では、軟質な地面において大きな接地圧が得られる。大きな接地圧は、スリップを抑制する。この観点から、面積は１．２ｃｍ２以下がより好ましく、１．０ｃｍ２以下が特に好ましい。
【００３５】
図５において矢印Ｗで示されているのは、大突起３２と中突起３４との間に位置する溝３８の幅である。幅Ｗは、０．５ｍｍ以上３．０ｍｍ以下が好ましい。幅Ｗが０．５ｍｍ以上であるゴルフ靴２では、軟質な地面において中突起３４の大きな接地圧が達成されうる。大きな接地圧は、スリップを抑制する。この観点から、幅Ｗは０．７ｍｍ以上が特に好ましい。幅Ｗが３．０ｍｍ以下であるゴルフ靴２では、硬質な地面において小突起３６が接地しにくい。従って、小突起３６の摩耗が抑制される。この観点から、幅Ｗは２．０ｍｍ以下がより好ましく、１．５ｍｍ以下が特に好ましい。
【００３６】
溝３８を隔てて大突起３２と隣接しており、且つその底面に小突起３６が存在する中突起３４の数は、５以上が好ましい。この数が５以上であるゴルフ靴２では、軟質な地面においてスリップしにくい。この観点から、数は１０以上がより好ましく、２０以上が特に好ましい。他の部材（例えば鋲）が配置されるスペースが確保されるとの観点から、数は５０以下が好ましく、３５以下が特に好ましい。
【実施例】
【００３７】
以下、実施例によって本発明の効果が明らかにされるが、この実施例の記載に基づいて本発明が限定的に解釈されるべきではない。
【００３８】
［実施例１］
図１から８に示された形状を有するゴルフ靴を作製した。アウトソールの仕様は、下記の通りである。
大突起の数：２４
大突起の高さＨ１：５．０ｍｍ
中突起の数：２４
中突起の高さＨ２：２．０ｍｍ
小突起のパターン：格子状
小突起の高さＨ３：０．５ｍｍ
溝の幅Ｗ：１．０ｍｍ
距離Ｌ：２．５ｍｍ
Ｈ２／Ｈ１：０．４０
Ｈ３／Ｈ２：０．２５
【００３９】
［実施例２から７及び比較例１から２］
突起の仕様を下記の表１に示される通りとした他は実施例１と同様にして、ゴルフ靴を得た。
【００４０】
［摩耗テスト］
アウトソールの上に、質量が１０ｋｇである重錘を固定した。このアウトソールを、アスファルトコンクリート製であり距離が５０ｍである道路で引きずった。５往復した後に、小突起の摩耗の有無を目視で判定した。摩耗が見られないものを「Ａ」に、摩耗が見られるものを「Ｂ」に格付けした。この結果が、下記の表１に示されている。
【００４１】
［スリップテスト］
ゴルフ靴をゴルファーに着用させ、濡れた芝生の上で、ドライバーにてゴルフボールを打撃させた。このゴルファーから、スリップ防止性能について聞き取った。スリップしにくいとの回答を得たものを「Ａ」に、スリップしやすいとの回答を得たものを「Ｂ」に格付けした。この結果が、下記の表１に示されている。
【００４２】
【表１】
2010115338.tif 000003
【００４３】
表１に示されるように、各実施例のゴルフ靴では、スリップが生じにくい。さらに、各実施例のゴルフ靴では、小突起の摩耗が抑制されるので、スリップ防止性能が長続きする。この評価結果から、本発明の優位性は明らかである。
【産業上の利用可能性】
【００４４】
本発明に係るゴルフ靴は、ゴルフ場でのプレーのときに着用されうる。このゴルフ靴は、ドライビングレンジでの練習のときにも着用されうる。
【図面の簡単な説明】
【００４５】
【図１】図１は、本発明の一実施形態に係るゴルフ靴が示された一部切り欠き側面図である。
【図２】図２は、図１のゴルフ靴が示された底面図である。
【図３】図３は、図２のアウトソールのアーチ部の一部が示された拡大図である
【図４】図４は、図２のアウトソールの踵部の一部が示された拡大図である。
【図５】図５は、図２のアウトソールの一部が示された拡大断面図である。
【図６】図６は、図５のアウトソールの一部が地面と共に示された拡大断面図である。
【図７】図７は、図５のアウトソールの一部が地面と共に示された拡大断面図である。
【図８】図８は、図２のアウトソールの一部が示された拡大斜視図である。
【符号の説明】
【００４６】
２・・・ゴルフ靴
１２・・・アウトソール
３２・・・大突起
３４・・・中突起
３６・・・小突起
３８・・・溝
【図１】
2010115338.tif 000004
【図２】
2010115338.tif 000005
【図３】
2010115338.tif 000006
【図４】
2010115338.tif 000007
【図５】
2010115338.tif 000008
【図６】
2010115338.tif 000009
【図７】
2010115338.tif 000010
【図８】
2010115338.tif 000011